(57)【要約】      （修正有）【課題】ボールを用いた競技の練習乃至競技において、視覚によるイメージを通じて、プレイヤーにボールを打つべき方向とボールに与えるべき回転の方向とを認識させ、正確にボールを目標方向に移動させるようにプレイヤーの体を動かせるようにするボールを提供する。【解決手段】透明なボール１００の内部にボールを運動させたい方向を示す第１の矢印１３０と当該ボールに与えるべき回転方向を示す輪状の第２の矢印１５０とを設け、若しくは、不透明なボール又は透明なボールの表面に前記第１の矢印と前記第２の矢印とをボール表面上に投影した表示を設けると共に、これらのボールの使用法を説明するために、透明の球殻の内部に、第１の矢印とこれを取り囲む輪状の第２の矢印とを設け、当該第２の矢印を設けた透明板の第１の矢印に対する傾斜を可変とする。【選択図】図１
2015159848.tif 000002
【特許請求の範囲】
【請求項１】
ボールを用いた競技の練習乃至競技に用いるボールであって、透明に形成したボール内部の中心部分に、前記ボールの中心を通る第１の方向を示す表示と、前記第１の方向を示す表示の周囲を取り囲むように形成し前記ボールの中心を輪の中心とした輪状の第２の方向を示す表示とを設け、
前記第１の方向を示す表示は、前記ボールを運動させたい方向を示し、前記第２の方向を示す表示は前記ボールを回転させたい方向を示していることを特徴とする透明に形成したボール。
【請求項２】
ボールを用いた競技の練習乃至競技に用いるボールであって、不透明又は透明のボールの表面に第１の方向を示す表示と、前記第１の方向を示す表示に直交又は斜交する輪状の第２の方向を示す表示とを設け、前記第１の方向を示す表示は、前記ボールを運動させたい方向を示し、
前記第２の方向を示す表示はボールを回転させたい方向を示していることを特徴とする不透明又は透明なボール。
【請求項３】
請求項１に記載したボールの使用方法を説明するための模型であって、
前記模型は、透明な球殻と、前記透明な球殻の中心部分に、前記球殻の中心を通る第１の方向を示す表示と、前記第１の方向を示す表示の周囲を取り囲むように形成し前記球殻の中心を輪の中心とした輪状の第２の方向を示す表示とを設け、
前記第２の方向を示す表示が構成する輪が属する平面の、前記第１の方向を示す表示の方向に対する傾斜角を可変とし、
前記第１の方向を示す表示は、前記ボールを運動させたい方向を示し、前記第２の方向を示す表示は前記ボールを回転させたい方向を示していることを特徴とする透明に形成したボールの使用方法を示す模型。
【請求項４】
前記方向を示す表示が矢印である請求項１又は２に記載した透明なボール又は不透明なボール若しくは請求項３に記載した模型。
【発明の詳細な説明】
【技術分野】
【０００１】
本発明は、ボールを用いた競技の練習乃至競技（プレイ）に用いるボール及びそのボールの使用方法を説明するための模型に関し、更に詳細には、球技の練習乃至プレイのために内部に表示を設けた透明のボール、及び、球技の練習乃至プレイのために表面に表示を設けた不透明又は透明のボール、並びに、前記表示を設けたボールの使用方法を説明するための模型に関するものである。
【背景技術】
【０００２】
ゴルフなどのボールを用いた競技では、競技者（プレイヤー）による打撃操作により、ボールを正確に狙った方向に飛ばすことが重要である。そのため、プレイヤーがボールに対して打撃操作を行う場合には、打撃によりボールを打ち出す方向が正確に目標方向に向いている必要がある。
【０００３】
また、ボールの飛距離を増大させたり、風向きなどを考慮してボールの軌道に変化を生じさせたり、或いは、着地の際の停止距離を短縮したい場合などには、ボールに適宜回転を加えて、ボールの運動を制御する必要がある。
【０００４】
一般的に、プレイヤーが、こうしたボールに対する打撃操作を修得するためには、相当程度の練習が必要となり、練習の際には、指導者に師事する場合もある。そして、そのような指導者による指導においては、プレイヤーが指導者の指示乃至命令に基づいて、打撃操作の際に最適な体の姿勢をとったり、同様に、最適な体の動きの制御を行ったりすべく、プレイヤーへの指示乃至命令がなされる。そして、そうした指示乃至命令に基づいてプレイヤーが体を動かし、その結果としてボールに対する打撃操作が行われる。
【０００５】
しかし、従来のこのような指導法では、プレイヤーに対する視覚を通じて生起される心理的な効果が必ずしも有効に利用されていなかった。
【０００６】
すなわち、従来の指導法では、その殆どが、指導者の指示乃至命令に基づいて、プレイヤーが自身の体を意識的に動かすものが主となっている。そのため、上記従来の指導法では、視覚を通じた刺激に基づいて、プレイヤーが直感的にボールを進行させるべき方向や回転させるべき方向をイメージして、当該イメージに基づいて体が動かされるようなものではなく、また、プレイヤーの体が視覚を通じたイメージに反応して採る無意識的な視覚誘導性運動を考慮したものでもなかった。
【０００７】
また、特許文献１では、ボールを運動させたい方向を視覚的にプレイヤーに示す手段として、ボールの表面にボールを進行させたい方向を示す表示を設けた考案が開示されている。
【０００８】
しかし、上記考案においては、ボールを進行させたい方向（打撃方向）が示されてはいるものの、ボールを回転させたい方向については、何らの考慮もなされておらず、プレイヤーに何らのイメージを想起させるようなものでもなかった。
【０００９】
また、実際の競技において、ボールを飛ばしたい目標方向と、ボール自体の相対的位置関係とを認識し、これを通じて、ボール自体を運動させるべき方向と自転させるべき方向とを視覚的に認識できれば、ボールの運動をさらに正確に制御できることが期待される。
【先行技術文献】
【特許文献】
【００１０】
【特許文献１】実開平５−１８５５４号公報
【発明の概要】
【発明が解決しようとする課題】
【００１１】
本発明は、従来の指導法で行われているような、直接的な指導により意識的にプレイヤーの動作を制御する手法に代え、若しくは、これに加えて、プレイヤーに、ボールを運動させるべき方向と回転させるべき方向とを視覚を通じて示すことで、プレイヤーにイメージを想起させ、これを通じて、指導者の直接の指示乃至命令に依らずに、ボールの打撃操作等に必要な動作を想起させ、内発的な動きを生起させるとともに、当該視覚によるイメージを通じて、プレイヤーに無意識的に生起される体の動きの制御を行うことが可能な球技練習のためのボールの提供と、その使用方法を示す模型を提供することにある。
【００１２】
また、実際の競技において、ボールを飛ばしたい目標方向と、ボール自体の相対的位置関係とを認識し、これを通じて、ボール自体を運動させるべき方向と自転させるべき方向とを決定し、ボールの運動をさらに正確に制御するために、これらの方向についての視認性を向上させたボールと、その使用方法を示す模型とを提供することを課題とする。
【課題を解決するための手段】
【００１３】
上記課題を解決するために本発明は、透明に形成したボール内部の中心部分に、前記ボールの中心を通る第１の方向を示す表示と、前記第１の方向を示す表示の周囲を取り囲むように形成し前記ボールの中心を輪の中心とした輪状の第２の方向を示す表示とを設け、前記第１の方向を示す表示は、前記ボールを運動させたい方向を示し、前記第２の方向を示す表示は前記ボールを回転させたい方向を示していることを特徴とする透明に形成したボールを提供する。
【００１４】
また、上記課題を解決するために本発明は、不透明又は透明のボールの表面に第１の方向を示す表示と、前記第１の方向を示す表示に直交又は斜交する輪状の第２の方向を示す表示とを設け、前記第１の方向を示す表示は、前記ボールを運動させたい方向を示し、前記第２の方向を示す表示はボールを回転させたい方向を示していることを特徴とする不透明又は透明なボールを提供する。
【００１５】
さらに、上記課題を解決するために本発明は、前記透明なボール内部の中心部分に前記第１の方向を示す表示及び輪状の第２の方向を示す表示を設けた前記透明なボールの使用方法を示す模型であって、前記模型は、透明な球殻と、前記透明な球殻の中心部分に、前記球殻の中心を通る第１の方向を示す表示と、前記第１の方向を示す表示の周囲を取り囲むように形成し前記球殻の中心を輪の中心とした輪状の第２の方向を示す表示とを設け、前記第２の方向を示す表示が構成する輪が属する平面の、前記第１の方向を示す表示の方向に対する傾斜角を可変とし、前記第１の方向を示す表示は、前記ボールを運動させたい方向を示し、前記第２の方向を示す表示は前記ボールを回転させたい方向を示していることを特徴とする透明に形成したボールの使用方法を示す模型を提供する。
【発明の効果】
【００１６】
本発明の球技の練習乃至プレイに用いるボールによれば、透明に形成したボールの内部、又は、不透明又は透明なボールの表面に、当該ボールを打ち出したい方向並びに回転させたい方向を矢印等で記した方向を示す表示が用いられていることにより、プレイヤーは当該ボールを打ち出すべき方向と、回転させるべき方向とを視覚を通じて直感的に理解することが可能である。
【００１７】
そのため、指導者は当該ボールを通じて、直ちに、当該ボールを運動させるべき方向とその回転させるべき方向とをプレイヤーに明示することが可能であるため、プレイヤーに対する指導を更に明確に行うことが可能である。
【００１８】
また、実際の競技において、ボールを打ち出したい方向並びに回転させたい方向を矢印等で記した方向を示す表示が用いられていることにより、プレイヤーは、あらかじめ目標とボールとの相対的位置関係を認識し、これに合わせて当該ボールをセットすることで、ボールを所定の方向に自転させて打ち出すための視覚的なイメージを得ることが可能となり、ボールに対する打撃制御等をより適切に行うことが可能となる。
【００１９】
また、本発明の上記球技の練習乃至プレイに用いるボールの使用方法を説明するための模型によれば、上記球技の練習乃至プレイに用いるボールを使用するに当たり、その実際の使用法を極めて簡単に理解することが可能である。
【図面の簡単な説明】
【００２０】
【図１】本発明の実施形態であるボール１００を示す斜視図である。
【図２】本発明の実施形態であるボール１００の別の態様を示す斜視図である。
【図３】本発明の実施形態の矢印部分の形態を説明するための斜視図である。
【図４】本発明の実施形態の矢印部分を上面側から見た図である。
【図５】本発明の実施形態であるボール２００の上面図である。
【図６】本発明の模型の概念を示す斜視図である。
【発明を実施するための形態】
【００２１】
以下に本発明の実施形態を図面に基づいて説明する。なお、図面の記載に関しては、重複する部分や、左右対称又は上下対称に表される部分等の構成要素の一部についての表記や説明については、適宜省略する場合がある。また、図面は模式的なものであるため、各構成要素の厚みや平面寸法との関係、各構成要素相互間の縮尺や比率などについては、実際のものとは異なる場合がある。
【００２２】
図１は、本発明の請求項１に記載した発明に係る、球技乃至その練習に用いる透明なボールの実施形態であるボール１００を示す斜視図である。
【００２３】
本ボール１００は、図１に記載したように、輪郭を点線で示した透明な外表面１１０を有する、内部を透明に形成したボールであり、前記ボール１００の中心Ｃの周辺領域を外部から透して見ることができるものであれば、単層構造のワンピースボールであっても、その他の多層構造のボールであっても構わない。また、上記ボールの用途は、ゴルフボールとして用いられるものであっても、ゲートボール又はサッカーボールやバレーボール等の各種ボールを用いた競技に用いられるものであっても良く、特に限定を設けるものではない。
【００２４】
そして、前記ボール１００の内部の中心部分には、方向を示す表示として、前記中心Ｃを通る第１の矢印１３０が設けられている。前記第１の矢印１３０は、図１では、先端を細く形成した頭部１３１と軸部１３３とから構成されており、前記矢印１３０の頭部１３１の先端から軸部１３３の末端までの長さの中間部分に、前記ボール１００の中心Ｃが来るように配設されている。
【００２５】
なお、本実施形態では、前記第１の矢印１３０は上記のような形態を有しているが、その形態は方向を示す表示であれば、どのようなものであっても良い。そのため、例えば、図２（Ａ）に記載した斜視図で示したように、前記矢印１３０の頭部１３１を円錐型の形状としてその底面部に軸体１３３を接続したものでも良く、また、図２（Ｂ）に記載した斜視図で示したように、全体が板状のものでもかまわない。
【００２６】
また、図１に戻って説明を続けると、前記第１の矢印１３０の軸部１３３の周囲には、前記第１の矢印１３０の前記軸部１３３を取り囲むように、方向を示す表示として第２の矢印１５０が形成されている。
【００２７】
当該第２の矢印１５０は、前記第１の矢印１３０の中間部分でありボール１００の中心でもあるＣを輪の中心とした、全体として輪状に形成した矢印であり、前記輪状の部分には適宜方向を示すための頭部１５１が設けられている。当該頭部１５１は、図１においては、全体として輪状に形成される前記第２の矢印１５０に４つが設けられているが、方向を示すことが可能であれば、その数は特に限定を設けるものではない。また、前記第２の矢印１５０の示す方向は、前記第１の矢印１３０上から当該矢印１３０の示す方向へ見た場合には時計回りの方向を示しているが、前記第１の矢印との関係でボールを自転させたい方向を示す必要に応じて、反時計回りの方向を示すものであっても良い。
【００２８】
また、方向を示す表示として構成例を示した前記第２の矢印の形態は、上記に限定されるものではなく、前記第１の矢印を取り巻く輪状であれば、例えば、図２（Ａ）に記載した斜視図で示したように上記頭部１５１として適宜方向を示す切り欠き等を設けた、全体としてベルト型の形状でも良く、また、図２（Ｂ）に記載した斜視図で示したように、上記頭部１５１として方向を示す円錐部を設けた、全体として円環状のものでもかまわない。
【００２９】
なお、上記図２（Ａ）に記載したように、上記ベルト型の形状の厚さ（前記球殻の中心Ｃから径方向へ見た距離）及び上記ベルト型の形状の幅（前記球殻の中心Ｃを通る前記第１の矢印の軸方向と平行な方向への距離）は、見やすいように適宜決定することが可能であり、上記図２（Ｂ）に記載したような、上記円環形状を構成する円環の小円（前記円環を構成する回転体の断面の円）及び大円（前記小円の中心がなす円（中心曲線））の大きさも、同様に任意に決定することが可能である。
【００３０】
また、前記第２の矢印１５０の輪が構成する平面Ｓは、前記ボールを運動させたい方向を示す第１の矢印に対して、前記ボール自体を回転させたい方向を示す第２の矢印が属する平面であるため、前記第１の矢印１３０に対してどのように傾斜したものでも良い。そのため、前記第２の矢印１５０は、前記平面Ｓに沿って、前記ボール１００自体を回転させたい方向を示すものとして、あらかじめ任意の方向を表示しておくことが可能である。
【００３１】
なお、上記平面Ｓは、図２（Ａ）に示したように、前記第２の矢印がベルト状の場合には、前記ベルトの幅方向の中間の位置で上記ベルトを構成する円と上記第１の矢印の中点Ｃとが属する面となり、図２（Ｂ）のように、前記第２の矢印１５０が円環状の場合には、前記円環の中心曲線と上記第１の矢印の中点Ｃとが属する面となる。
【００３２】
また、上記平面Ｓについて更に説明すると、例えば、図３は、三次元座標系上で、上記ボールの中心Ｃを原点として、前記第１の矢印１３０をＺ軸上に沿っておいた場合に、Ｘ軸とＹ軸とからなる平面上に前記第２の矢印１５０が属する平面Ｓが構成された例を斜視図を用いて示した説明図である。
【００３３】
ここで、上記平面Ｓは、前記Ｘ軸を中心に回転させた任意の位置及び、前記Ｙ軸を中心に回転させた任意の位置に設定することが可能である。したがって、本ボール１００を上方（図３のＹ軸のプラス側）から見た場合には、前記第１の矢印１３０と第２の矢印１５０とは、例えば、図４（ａ）〜（ｆ）に示すように、上記平面Ｓと第２の矢印１５０との向きをどの方向にとるかによって、多種類の組み合わせが可能である。そして、上記平面Ｓの傾き方向によって、上記第２の矢印１５０は、円や楕円の形態を採ることになり、第２の矢印１５０の指す方向も、上記第１の矢印１３０に対して、時計回りや反時計回りの方向を表示することになる。
【００３４】
また、上記第１の矢印１３０と第２の矢印１５０の大きさとは特に限定を設けるものではなく、色彩についても特に限定を設けるものではないが、本発明の趣旨からは、視認性を高めることが重要であるため、視覚を通じた認識が高まるような配色及び、大きさが必要であり、競技が行われる環境や競技の種類によって、適宜これらを決定することが望ましい。
【００３５】
以上のように構成した透明なボール１００においては、以上に記述したように、上記第１の矢印１３０は、前記ボール１００を運動させたい方向を示す矢印であり、前記輪状の第２の矢印１５０はボール１００自体を自転させたい方向を示す矢印として形成されている。そのため、上記ボール１００は次のように使用される。
【００３６】
例えば、上記ボール１００をゴルフボールに適用する場合には、上記第１の矢印１３０と輪状の第２の矢印１５０とは透明な素材が充填されたゴルフボールの内部に形成され、前記第１の矢印１３０に対して、前記第２の矢印１５０が属する平面Ｓの傾斜角や、前記第２の矢印１５０の示す方向が異なるものが数種類提供される。
【００３７】
そして、上記ボール１００を用いてゴルフの練習乃至指導を行う場合、ゴルフの指導者は、ゴルフコース上などにおいて、被指導者（プレイヤー）に対して、当該ボールを飛ばすべき方向と当該ボールに与えるべき回転の方向を指示するにあたって、当該飛ばすべき方向を示す第１の矢印と、当該ボールに与えるべき回転の方向を示す第２の矢印とが、プレイヤーに指示したい方向と合致するボールを選択する。
【００３８】
その後、上記指導者は当該選択したボールをセットし、プレイヤーはそのボールに表示された第１の矢印と第２の矢印とに合わせてアドレスし、ボールにスイングにより打撃操作を加えることになる。
【００３９】
ここで、ゴルフの上記スイング（クラブの振り方）は、クラブを上げて振り下ろすタテの力と、遠心力を大きくするヨコの力とから成り立っているとすると、上記の動きから打ち出されるボールには、タテ・ヨコの複雑な力がかかり複雑なスピンによって目標に打ち出されることになる。これに対して、上記透明なボールに付された直線方向を示す第１の矢印と、回転方向を示す第２の矢印とは、前記第１の矢印が、目標に向かって打ち出すタテの力と、前記第２の矢印が目標まで飛ばすヨコの力とを同時に働かせる為にイメージするものとなる。そして、こうした視覚的イメージにより、プレイヤーの動作が誘引されて、目標に対して上記ボールを飛ばすための打撃操作が行われることになり、上記ボールを目標方向に必要な回転を加えつつ飛ばすことが可能となる。
【００４０】
また、本発明は、上記の練習等の場合のみならず、ボールを打ち出したい方向並びに回転させたい方向を矢印で記した表示が用いられていることにより、プレイヤーは、あらかじめ目標とボールとの相対的位置関係を認識し、これに合わせて当該ボールをセットすることで、ボールを所定の方向に自転させて打ち出すための視覚的なイメージを得ることが可能である。そのため、実際の競技においても、ボールに対する打撃等の制御をより適切に行うことが可能となる。
【００４１】
次に、本願の請求項２に記載した発明に係る球技ないしその練習に用いる不透明又は透明なボールの実施形態を説明する。
【００４２】
図５は、本発明のボールを用いた競技ないしその練習に用いるボールの第２実施形態のボール２００を示す平面図である。
【００４３】
上記第２実施形態のボール２００は、前記ボール１００の場合とは異なり、ボール内部に矢印等を設けるものではなく、不透明又は透明のボールの表面に、方向を示す表示として第１の矢印２３０と、前記第１の矢印２３０に直交乃至斜交する輪状の方向を示す表示である第２の矢印２５０とを表示して設けるものであり、その表示方法は、刻印によるものでも印刷によるもの等でも構わない。なお、ここで上記直交乃至斜交とは、上記輪状の矢印を上面側（すなわち上記第１の矢印の軸に対して垂直な方向）から見た場合には楕円となるため、当該楕円を形成する長軸乃至短軸が前記第１の矢印に対して直交乃至斜交していることを指している。
【００４４】
そして、前記第１の矢印２３０は、前記ボール２００を運動させたい方向を示し、前記輪状の第２の矢印２５０はボール２００を回転させたい方向を示していることを特徴としている。
【００４５】
前記ボール２００における第１の矢印２３０と第２の矢印２５０との基本的な目的は前記ボール１００におけるものと同様である。しかし、本ボール２００では、上記第１の矢印２３０と第２の矢印２５０とは、前記ボール２００を構成する球面状の表面に表示するものであるため、前記ボール１００における第１の矢印１３０と第２の矢印１５０とにおける立体的な表示を前記ボール２００の球面上に２次元的に投影したものと同様となる。
【００４６】
したがって、上記ボール２００では、上記第１の矢印２３０と第２の矢印２５０の表示が、ボール２００の表面に、例えば図４に例示したものと同様に表示されることになり、当該表示により、プレイヤーはボール２００を打ち出すべき方向と、ボール２００を回転させるべき方向とを視覚的に認識することが可能となる。そして、上記ボール２００を競技乃至その練習に用いることで、プレイヤーはボールの運動をさらに正確に制御することが可能となる。
【００４７】
次に、本発明の請求項３に記載した発明に係る、請求項１に記載したボールの使用方法を説明するための模型の実施形態を説明する。
【００４８】
図６は、本発明のボールの使用方法を説明するための模型５００の例を示した斜視図である。
【００４９】
上記模型５００は、請求項１に記載した透明なボールの内部の中心部分に、方向を示す表示として第１の矢印と第２の矢印とを設けたものの使用方法を説明するためのものである。
【００５０】
そして、その基本的な構成は、透明な球殻５１０と、前記透明な球殻５１０の中心部分に、前記球殻５１０の中心Ｃ‘を軸の中点が通る方向を示す表示として設けた第１の矢印５３０と、前記第１の矢印５３０の軸の周囲を取り囲むように形成され前記球殻５１０の中心Ｃ‘を輪の中心とした輪状の方向を示す表示である第２の矢印５５０とからなっている。
【００５１】
ここで、上記透明な球殻５１０は、上半球部分と下半球部分とに分割可能に設けられており、下半球部分は、支持台６００上に立設された支柱６１０上にベアリング６３０を介して、水平面上に回動可能に設けられている。
【００５２】
また、前記第１の矢印５３０は、当該矢印の先端及び後端の延長線上において、上記球殻５１０の下半球部分に接続されており、前記球殻の運動に連動して水平面上に回動可能に接続され、更に、前記第１の矢印の方向に対して前記第２の輪状の矢印が反時計回りになる場合と時計回りになる場合とを考慮して、矢印の方向が反転可能となるように取り付けられている。
【００５３】
また、前記輪状の第２の矢印５５０が構成する輪は、円形に形成した透明板５７０に形成されており、前記透明板５７０は、中心部に前記第１の矢印５３０を貫通させるための領域として空隙５８０を設けた全体としてはリング状の外形をしている。そして、前記透明板５７０の外周は前記透明な球殻５１０の下半球部分の縁の内側で、前記球殻の中心Ｃ‘を挟むように設けられた半円形のフレーム６５０の２つの端部６７０に接続されており、当該２つの端部６７０を軸として回動可能に設けられている。また、前記半円形のフレーム６５０は、前記球殻５１０の下半球の部分の内側にある接続部６９０で、前記支柱６１０に前記支柱６１０を軸として回動可能に設けられている。
【００５４】
上記のように構成される模型５００は、前記球殻５１０の上半球部分を外すことにより、前記支柱６１０の軸を中心にして透明球殻５１０の下半球部分とフレーム６５０とを個別に回動させることが可能であり、更に前記フレーム６５０は前記２つの端部６７０を軸として、前記２つの端部に接続された透明板５７０を回動させることが可能である。
【００５５】
そのため、請求項１に記載した透明なボール内部の中心部分に方向を示す表示として第１の矢印と第２の矢印とを設けたものの使用方法の説明を通じて、例えばゴルフにおけるボールの打撃方法等を指導するにあたって、指導者は、第１の矢印と第２の矢印とを時計回りの関係にすべきか反時計回りの関係にすべきかについて決定し、上記模型５００の第１の矢印の方向を調整してから上記透明板５７０を稼働することにより、当該透明板５７０に表示された輪状の第２の矢印５５０を前記第１の矢印に対して任意の方向に傾斜して表示させることが可能である。
【００５６】
したがって、上記模型５００を通じて、上記表示が設けられたボールを用いた適切なボールの打撃方法等を指導することが可能である。
【００５７】
また、実際の競技においても、あらかじめ、上記模型５００を通じて、上記ボールの特性を知っておき、上記ボールを用いた上記競技に備えておくことが可能である。
【符号の説明】
【００５８】
１００  ２００  ボール
１１０  透明な外表面
１３０  ２３０  ５３０  第１の矢印
１３１  第１の矢印の頭部
１３３  第１の矢印の軸部
１５０  ２５０  ５５０  第２の矢印
１５１  第２の矢印の頭部
５００  模型
５１０  透明な球殻
５７０  透明板
５８０  透明板の空隙
６００  支持台
６１０  支柱
６３０  ベアリング
６５０  半円形フレーム
６７０  半円形フレームの端部
６９０  半円形フレームと支柱の接続部
C      ボールの中心
C‘    球殻の中心
S      第２の矢印が属する平面
【図１】
2015159848.tif 000003
【図２】
2015159848.tif 000004
【図３】
2015159848.tif 000005
【図４】
2015159848.tif 000006
【図５】
2015159848.tif 000007
【図６】
2015159848.tif 000008